【手続補正書】
【提出日】平成18年2月14日(2006.2.14)
【手続補正１】
【補正対象書類名】明細書
【補正対象項目名】発明の名称
【補正方法】変更
【補正の内容】
【発明の名称】データ処理システム、情報処理装置、サーバ装置、データ処理方法、情報処理装置の制御方法、サーバ装置の制御方法、記憶媒体、プログラム
【手続補正２】
【補正対象書類名】明細書
【補正対象項目名】特許請求の範囲
【補正方法】変更
【補正の内容】
【特許請求の範囲】
【請求項１】  電子データに基づいて印刷データを生成する情報処理装置と、サーバ装置と、印刷装置とが、互いに接続されたデータ処理システムであって、
前記情報処理装置は、
前記電子データの特徴量を抽出する抽出手段と、
前記抽出手段により第１の電子データから抽出された第１の特徴量を、前記サーバ装置に送信する送信手段と、
前記送信手段が送信した前記第１の特徴量が、前記サーバ装置において登録されたことを示す登録情報を、該サーバ装置より取得する取得手段と、
前記取得手段が取得した登録情報と、前記第１の電子データ及び前記第１の特徴量を示す情報とを含む、第１の印刷データを生成する生成手段とを備え、
前記印刷装置は、
前記生成手段により生成された印刷データを印刷する印刷手段を備え、
前記サーバ装置は、
前記情報処理装置から送信された前記第１の特徴量を受信する受信手段と、
前記受信手段が受信した前記第１の特徴量を登録する登録手段と、
前記登録手段が登録した前記第１の特徴量を特定することが可能な識別子を含む前記登録情報を、前記情報処理装置に通知する通知手段とを備えることを特徴とするデータ処理システム。
【請求項２】  原稿上の画像を読み取る読取手段と、
前記原稿上の画像に含まれる前記登録情報、及び該画像の特徴量として示されている第２の特徴量を認識する認識手段と、
を備える読取装置を更に備え、
前記情報処理装置は、
前記印刷手段により第１の印刷データに基づいて印刷された原稿から、前記認識手段が認識した前記登録情報及び前記第２の特徴量を、前記読取装置から入力する入力手段を更に備え、
前記送信手段は、前記入力手段により入力された前記登録情報に含まれる前記識別子及び前記第２の特徴量を、前記サーバ装置に送信し、
前記取得手段は、前記送信手段が送信した前記第２の特徴量と、前記送信手段が送信した前記識別子により特定される前記第１の特徴量とを、前記サーバ装置において照合した結果に基づく認証情報を該サーバ装置より取得し、
前記サーバ装置は、
前記情報処理装置から送信され、前記受信手段により受信した前記第２の特徴量と、前記受信手段により受信した前記識別子により特定される特徴量であって、前記登録手段により予め登録されている前記第１の特徴量とを、照合する照合手段を更に備え、
前記通知手段は、前記照合手段が照合した結果に基づく認証情報を、前記情報処理装置に通知することを特徴とする請求項１に記載のデータ処理システム。
【請求項３】  前記情報処理装置は、ユーザが入力した前記識別子を受け付ける受付手段を更に備え、
前記送信手段は、前記抽出手段により第３の電子データから抽出された第３の特徴量と、前記受付手段が受け付けた前記識別子とを、前記サーバ装置に送信し、
前記取得手段は、前記送信手段が送信した前記第３の特徴量と、前記送信手段が送信した前記識別子により特定される前記第１の特徴量が前記サーバ装置に登録されている場合に、該第１の特徴量が登録されたことを示す前記登録情報を、該サーバ装置より取得し、
前記生成手段は、前記取得手段が取得した登録情報と、前記第３の電子データとを含む、第３の印刷データを生成し、
前記サーバ装置は、
前記情報処理装置から送信され、前記受信手段により受信した前記第３の特徴量と、前記受信手段により受信した前記識別子により特定される特徴量であって、前記登録手段により予め登録されている前記第１の特徴量とを、照合する照合手段を更に備え、
前記通知手段は、前記照合手段が照合した結果、前記第３の特徴量と前記第１の特徴量とが一致した場合に、前記登録情報を前記情報処理装置に通知することを特徴とする請求項１に記載のデータ処理システム。
【請求項４】  前記情報処理装置は、
ユーザが入力した制限情報を受け付ける受付手段を更に備え、
前記送信手段は、前記第１の特徴量と、前記受付手段が受け付けた前記制限情報とを、前記サーバ装置に送信し、
前記登録手段は、前記受信手段が受信した前記第１の特徴量及び前記制限情報とを、対応付けて登録することを特徴とする請求項１に記載のデータ処理システム。
【請求項５】  前記受付手段は、更に、ユーザが入力した前記識別子を受け付け、
前記送信手段は、前記抽出手段により第３の電子データから抽出された第３の特徴量と、前記受付手段が受け付けた前記識別子とを、前記サーバ装置に送信し、
前記取得手段は、前記送信手段が送信した前記第３の特徴量と、前記送信手段が送信した前記識別子により特定される前記第１の特徴量が前記サーバ装置に登録されている場合に、該第１の特徴量が登録されたことを示す前記登録情報を、該サーバ装置より取得し、
前記生成手段は、前記取得手段が取得した登録情報と、前記第３の電子データとを含む、第３の印刷データを生成し、
前記サーバ装置は、
前記情報処理装置から送信され、前記受信手段により受信した前記第３の特徴量と、前記登録手段により予め登録されている前記第１の特徴量とを、照合する照合手段と、
前記第１の特徴量とともに登録されている前記制限情報に基づいて、前記登録情報を前記情報処理装置に通知することが許可されているか否かを判断する判断手段と、
前記通知手段は、前記照合手段が照合した結果、前記第３の特徴量と前記第１の特徴量とが一致する場合であって、且つ、前記判断手段が前記登録情報を前記情報処理装置に通知ことが許可されていると判断した場合に、該登録情報を該情報処理装置に通知することを特徴とする請求項４に記載のデータ処理システム。
【請求項６】  電子データに基づいて印刷データを生成する情報処理装置であって、
前記電子データの特徴量を抽出する抽出手段と、
前記抽出手段により第１の電子データから抽出された第１の特徴量を、前記情報処理装置に接続されたサーバ装置に送信する送信手段と、
前記送信手段が送信した前記第１の特徴量が、前記サーバ装置において登録されたことを示す登録情報を、前記サーバ装置より取得する取得手段と、
前記取得手段が取得した登録情報と、前記第１の電子データ及び前記第１の特徴量を示す情報とを含む、第１の印刷データを生成する生成手段と、
を備えることを特徴とする情報処理装置。
【請求項７】  前記登録情報は、前記登録手段により登録された前記第１の特徴量を特定することが可能な識別子を含むことを特徴とする請求項６に記載の情報処理装置。
【請求項８】  前記生成手段により生成された印刷データに基づいて印刷を行う印刷手段を更に備え、
前記印刷手段は、前記第１の電子データに、前記登録情報及び前記第１の特徴量を示す情報を付加して印刷することを特徴とする請求項６または７に記載の情報処理装置。
【請求項９】  前記第１の電子データは、前記情報処理装置が備える文書作成アプリケーションを用いて作成された電子データであることを特徴とする請求項６から８のいずれか１項に記載の情報処理装置。
【請求項１０】  ユーザにより入力された制限情報を受け付ける受付手段を更に備え、
前記送信手段は、前記第１の特徴量とともに、前記受付手段が受け付けた前記制限情報を、前記サーバ装置に送信することを特徴とする請求項６から９のいずれか１項に記載の情報処理装置。
【請求項１１】  前記制限情報は、前記サーバ装置において登録されている特徴量を用いた照合の結果に基づいて実行される印刷回数を制限するための情報であることを特徴とする請求項１０に記載の情報処理装置。
【請求項１２】  前記制限情報は、前記サーバ装置において登録されている特徴量を用いた照合の結果に基づいて実行される印刷を実行することが可能な期間を制限するための情報であることを特徴とする請求項１０または１１に記載の情報処理装置。
【請求項１３】  原稿上の画像を読み取る読取手段と、
前記原稿上の画像に含まれる前記登録情報、及び該画像の特徴量として示されている第２の特徴量を認識する認識手段と、を更に備え、
前記送信手段は、前記認識手段が認識した前記登録情報及び前記第２の特徴量を、前記サーバ装置に送信することを特徴とする請求項６から９のいずれか１項に記載の情報処理装置。
【請求項１４】  前記取得手段は、更に、前記送信手段が送信した前記第２の特徴量と、前記送信手段が送信した前記登録情報により特定される特徴量であって、前記サーバ装置において登録されている前記第１の特徴量とが、前記サーバ装置において照合された結果に基づく認証情報を、該サーバ装置より取得することを特徴とする請求項１３に記載の情報処理装置。
【請求項１５】  ユーザにより入力された前記識別子を受け付ける受付手段を更に備え、
前記送信手段は、前記抽出手段により第３の電子データから抽出された第３の特徴量とともに、前記受付手段が受け付けた前記識別子を、前記サーバ装置に送信することを特徴とする請求項７から９のいずれか１項に記載の情報処理装置。
【請求項１６】  前記取得手段は、前記送信手段が前記第３の特徴量及び前記識別子を送信した場合に、前記サーバ装置から、前記識別子により特定される前記第１の特徴量が前記サーバ装置において登録されたことを示す前記登録情報を取得し、
前記生成手段は、前記取得手段が取得した前記登録情報と、前記第３の電子データ及び前記第３の特徴量を示す情報とを含む、第３の印刷データを生成することを特徴とする請求項１５に記載の情報処理装置。
【請求項１７】  前記登録情報は、前記送信手段が送信した特徴量が、前記サーバ装置において登録された日時を示す情報を含むことを特徴とする請求項６から１６のいずれか１項に記載の情報処理装置。
【請求項１８】  印刷データを生成する情報処理装置と、通信可能に接続されたサーバ装置であって、
前記情報処理装置より、第１の電子データから抽出された第１の特徴量を受信する受信手段と、
前記受信手段で受信した前記第１の特徴量を登録する登録手段と、
前記登録手段が前記第１の特徴量を登録したことを示す登録情報であって、該第１の特徴量を特定することが可能な識別子を含む登録情報を、前記情報処理装置に通知する通知手段と、
を備えることを特徴とするサーバ装置。
【請求項１９】  前記受信手段は、更に、原稿上の画像から認識して得られた第２の特徴量、及び前記第１の特徴量を特定するための識別子を受信し、
前記受信手段が受信した前記第２の特徴量と、前記受信手段が受信した前記識別子により特定される前記第１の特徴量とを、照合する照合手段を更に備え、
前記通知手段は、前記照合手段が照合した結果に基づく認証情報を、前記情報処理装置に通知することを特徴とする請求項１８に記載のサーバ装置。
【請求項２０】  前記受信手段は、更に、第３の電子データから抽出された第３の特徴量、及び前記第１の特徴量を特定するための識別子を受信し、
前記受信手段が受信した前記第３の特徴量と、前記受信手段が受信した前記識別子により特定される前記第１の特徴量とを、照合する照合手段を更に備え、
前記通知手段は、前記照合手段が照合した結果、前記第３の特徴量と前記第１の特徴量とが一致した場合に、前記第１の特徴量が前記サーバ装置において登録されたことを示す前記登録情報を、前記情報処理装置に通知することを特徴とする請求項１８に記載のサーバ装置。
【請求項２１】  前記受信手段は、前記第１の特徴量とともに、該第１の特徴量に係る制限情報を受信し、
前記登録手段は、前記第１の特徴量と前記制限情報とを、対応付けて登録することを特徴とする請求項２０に記載のサーバ装置。
【請求項２２】  前記制限情報に基づいて、前記登録情報を前記情報処理装置に通知することが許可されているか否かを判断する判断手段を更に備え、
前記通知手段は、前記照合手段が照合した結果、前記第３の特徴量と前記第１の特徴量とが一致した場合であって、且つ、前記判断手段が前記登録手段を前記情報処理装置に通知することが許可されていると判断した場合に、前記登録情報を前記情報処理装置に通知することを特徴とする請求項２１に記載のサーバ装置。
【請求項２３】  前記制限情報は、前記照合手段による照合の結果に基づく前記登録情報の通知の回数を制限する情報であることを特徴とする請求項２２に記載のサーバ装置。
【請求項２４】  前記登録情報は、前記受信手段が受信した特徴量を、前記登録手段が登録した日時を示す情報を含むことを特徴とする請求項１８から２３のいずれか１項に記載のサーバ装置。
【請求項２５】  電子データに基づいて印刷データを生成する情報処理装置と、サーバ装置と、印刷装置とが、互いに接続されたデータ処理システムにおけるデータ処理方法であって、
前記情報処理装置において、前記電子データの特徴量を抽出する抽出ステップと、
前記抽出ステップで第１の電子データから抽出された第１の特徴量を、前記サーバ装置に送信する送信ステップと、
前記サーバ装置において、前記第１の特徴量を受信する受信ステップと、
前記受信ステップで受信した前記第１の特徴量を登録する登録ステップと、
前記登録ステップで前記第１の特徴量が登録されたことを示す登録情報であって、該第１の特徴量を特定することが可能な識別子を含む登録情報を、前記情報処理装置に通知する通知ステップと、
前記情報処理装置において、前記サーバ装置より前記登録情報を取得する取得ステップと、
前記取得ステップにおいて取得した前記登録情報と、前記第１の電子データ及び前記第１の特徴量を示す情報とを含む、第１の印刷データを生成する生成ステップと、
前記印刷装置において、前記生成ステップで生成された前記第１の印刷データを印刷する印刷ステップと、
を備えることを特徴とするデータ処理システムにおけるデータ処理方法。
【請求項２６】  電子データに基づいて印刷データを生成する情報処理装置の制御方法であって、
前記電子データの特徴量を抽出する抽出ステップと、
前記抽出ステップで第１の電子データから抽出された第１の特徴量を、前記情報処理装置と接続されたサーバ装置に送信する送信ステップと、
前記送信ステップで送信された前記第１の特徴量が、前記サーバ装置において登録されたことを示す登録情報を、前記サーバ装置より取得する取得ステップと、
前記取得ステップで取得した登録情報と、前記第１の電子データ及び前記第１の特徴量を示す情報とを含む、第１の印刷データを生成する生成ステップと、
を備えることを特徴とする情報処理装置の制御方法。
【請求項２７】  印刷データを生成する情報処理装置と、通信可能に接続されたサーバ装置の制御方法であって、
前記情報処理装置より、第１の電子データから抽出された第１の特徴量を受信する受信ステップと、
前記受信ステップで受信した前記第１の特徴量を登録する登録ステップと、
前記登録ステップで前記第１の特徴量を登録したことを示す登録情報であって、該第１の特徴量を特定することが可能な識別子を含む登録情報を、前記情報処理装置に通知する通知ステップと、
を備えることを特徴とするサーバ装置の制御方法。
【請求項２８】  請求項２５のデータ処理方法、または請求項２６及び請求項２７に記載の制御方法、のいずれかに記載の方法をコンピュータに実行させるためのプログラム。
【請求項２９】  請求項２８に記載のプログラムを格納したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、電子データに基づいて印刷データを生成する情報処理装置と、サーバ装置と、印刷装置とが、互いに接続されたデータ処理システムにおけるデータ処理に関するものである。
【手続補正４】
【補正対象書類名】明細書
【補正対象項目名】００１２
【補正方法】変更
【補正の内容】
【００１２】
本発明は、上記の課題を解決するためになされたもので、本発明は、サーバ装置に電子データから抽出される特徴量を送信して登録し、その登録情報をサーバ装置から取得して、さらに特徴量と電子データとを含み、前記登録情報を用いた原本保証を行うことが可能な印刷データを生成して、原本保証プリントを行える仕組みを提供することである。
【手続補正５】
【補正対象書類名】明細書
【補正対象項目名】００１３
【補正方法】変更
【補正の内容】
【００１３】
【課題を解決するための手段】
上記目的を達成する本発明のデータ処理システムは、以下の特徴的構成を備える。
【手続補正６】
【補正対象書類名】明細書
【補正対象項目名】００１４
【補正方法】変更
【補正の内容】
【００１４】
本発明は、電子データに基づいて印刷データを生成する情報処理装置と、サーバ装置と、印刷装置とが、互いに接続されたデータ処理システムであって、前記情報処理装置は、前記電子データの特徴量を抽出する抽出手段と、前記抽出手段により第１の電子データから抽出された第１の特徴量を、前記サーバ装置に送信する送信手段と、前記送信手段が送信した前記第１の特徴量が、前記サーバ装置において登録されたことを示す登録情報を、該サーバ装置より取得する取得手段と、前記取得手段が取得した登録情報と、前記第１の電子データ及び前記第１の特徴量を示す情報とを含む、第１の印刷データを生成する生成手段とを備え、前記印刷装置は、前記生成手段により生成された印刷データを印刷する印刷手段を備え、前記サーバ装置は、前記情報処理装置から送信された前記第１の特徴量を受信する受信手段と、前記受信手段が受信した前記第１の特徴量を登録する登録手段と、前記登録手段が登録した前記第１の特徴量を特定することが可能な識別子を含む前記登録情報を、前記情報処理装置に通知する通知手段とを備えることを特徴とする。
【手続補正７】
【補正対象書類名】明細書
【補正対象項目名】０１２７
【補正方法】変更
【補正の内容】
【０１２７】
【発明の効果】
以上説明したように、本発明によれば、サーバ装置に電子データから抽出される特徴量を送信して登録し、その登録情報をサーバ装置から取得して、さらに特徴量と電子データとを含み、前記登録情報を用いた原本保証を行うことが可能な印刷データを生成して、原本保証プリントを行えるという効果を奏する。